(57)【要約】【課題】本発明は、原稿搬送手段内に原稿の裏面を読み取る第二画像読取手段を有する画像読取装置において、原稿搬送手段開閉時の第二画像読取手段へ加わる衝撃を緩和し、かつ原稿搬送手段の開閉操作性を向上し、容易に読取部に原稿を載置することができる画像読取装置を提供することを目的としている。【解決手段】上記課題を解決するために、本発明に係る画像形成装置の代表的な構成は、原稿台を備えた装置本体と、前記原稿台上の原稿を読み取るラインセンサを備えた第一画像読取手段と、前記原稿台上に原稿を搬送する原稿搬送手段と、前記原稿搬送手段を前記原稿台に対して回動可能に支持する回動支持手段と、前記原稿搬送手段に設けられ当該原稿搬送手段により搬送される原稿の前記第一画像読取手段で読み取る画像と反対側の画像を読み取るラインセンサを備えた第二画像読取手段と、を備える画像読取装置において、前記回動支持手段の回動軸は、前記第一及び第二画像読取手段に備えられたラインセンサの配列方向と直交する方向に設けられたことを特徴とする。【選択図】　　図１
2004096321.tif 000002
【特許請求の範囲】
【請求項１】
原稿台を備えた装置本体と、
前記原稿台上の原稿を読み取るラインセンサを備えた第一画像読取手段と、
前記原稿台上に原稿を搬送する原稿搬送手段と、
前記原稿搬送手段を前記原稿台に対して回動可能に支持する回動支持手段と、
前記原稿搬送手段に設けられ当該原稿搬送手段により搬送される原稿の前記第一画像読取手段で読み取る画像と反対側の画像を読み取るラインセンサを備えた第二画像読取手段と、
を備える画像読取装置において、
前記第二画像読取手段を、弾性体を介して原稿搬送手段に取り付けたことを特徴とする画像読取装置。
【請求項２】
前記回動支持手段の回動軸は、第一及び第二画像読取手段に備えられたラインセンサの配列方向と直交する方向に設けられたことを特徴とする請求項１記載の画像読取装置。
【請求項３】
前記弾性体はゴム材であることを特徴とする請求項１記載の画像読取装置。
【請求項４】
前記弾性体は板バネであることを特徴とする請求項１記載の画像読取装置。
【発明の詳細な説明】
【０００１】
【発明の属する技術分野】
本発明は複写機、プリンタ、ファクシミリ、スキャナ等の画像読取装置において、特に原稿の両面の画像を一度の原稿搬送過程で読みとることのできる両面原稿読取用の自動原稿搬送装置を備えた画像読取装置に関するものである。
【０００２】
【従来の技術】
従来から画像読取装置には、複数枚の原稿を連続的に搬送する原稿搬送装置（原稿搬送手段）を備えたものがある。また原稿の両面の画像を読みとるために、原稿を反転させて画像読取手段に二度搬送するものと、二つの画像読取手段を備えて一度の搬送で両面の画像を読みとるものとがある。後者の例としては、例えば特開２０００−２０１２５１号公報に記載されるようなものが知られている。
【０００３】
すなわち、原稿台上の原稿を読み取るラインセンサを備えた第一画像読取手段と、原稿台上に原稿を搬送する原稿搬送手段と、前記原稿搬送手段に設けられ当該原稿搬送手段により搬送される原稿の前記第一画像読取手段で読み取る画像と反対側の画像を読み取るラインセンサを備えた第二画像読取手段と、を備えた構成となっている。
【０００４】
そして、読取可能な最大原稿の短手方向をラインセンサの配列方向（主走査方向）にし、読取可能な最大原稿の長手方向は、ラインセンサの読取位置、または原稿を移動（副走査方向）させることで、原稿の画像を読取っている。これは、最大原稿の長手方向を主走査方向にするよりも画素数の少ないラインセンサで読取ることが可能になるからである。
【０００５】
また、装置本体に対して原稿搬送手段を回動可能に支持する回動支持手段を設けている。これにより、原稿台を清掃したり、搬送されている原稿の紙詰まりを処理したり、原稿台上に原稿を載置する時には、原稿搬送装置を装置本体から離間する方向に回動させて原稿台上を開放し、それぞれの作業を行った後に、再び原稿搬送装置を接近する方向に回動させて、原稿搬送装置が動作可能な状態となる。
【０００６】
従来、この種の原稿搬送装置に第二画像読取手段を備えた画像読取装置では、原稿搬送装置の開閉により原稿搬送装置に設けられた第二画像読取手段に加わる衝撃を極力低減するために、原稿搬送装置の回動支持手段の回動軸を主走査方向と平行にすることで、原稿搬送装置の回動による第二画像読取手段の移動量を減少させ、第二画像読取手段の破損、変形を防止していた。
【０００７】
【発明が解決しようとする課題】
しかしながら、原稿搬送手段の回動軸を主走査方向と平行にしても、原稿搬送手段開閉時の衝撃が第二画像読取手段に加わらないわけではなく、使用者が原稿搬送手段に強い衝撃を与えるような開閉を行なった場合、依然として、読取手段が変形したり、調整が異常になるなどの不具合が発生するおそれがある。
【０００８】
また、原稿搬送手段の回動軸を主走査方向と平行にした場合、最大原稿の短手方向と平行に配置されることになるので、原稿搬送手段の回動軸を奥側にして使用者が操作することを想定すると、原稿の長手方向は前奥方向になり、指標ラベルが使用者から遠くなってしまう。また、原稿の短手方向が前奥方向になるようにして使用者が操作することを想定すると、原稿搬送手段の回動軸は右か左になり、原稿搬送手段の開閉操作が非常に煩わしくなってしまう。
【０００９】
本発明は上記した従来技術の問題点を解決するためになされたもので、その目的とするところは、原稿搬送手段内に原稿の裏面を読み取る第二画像読取手段を有する画像読取装置において、原稿搬送手段開閉時の第二画像読取手段へ加わる衝撃を緩和し、かつ原稿搬送手段の開閉操作性を向上し、容易に読取部に原稿を載置することができる画像読取装置を提供することにある。
【００１０】
【課題を解決するための手段】
上記課題を解決するために、本発明に係る画像形成装置の代表的な構成は、原稿台を備えた装置本体と、前記原稿台上の原稿を読み取るラインセンサを備えた第一画像読取手段と、前記原稿台上に原稿を搬送する原稿搬送手段と、前記原稿搬送手段を前記原稿台に対して回動可能に支持する回動支持手段と、前記原稿搬送手段に設けられ当該原稿搬送手段により搬送される原稿の前記第一画像読取手段で読み取る画像と反対側の画像を読み取るラインセンサを備えた第二画像読取手段と、を備える画像読取装置において、前記第二画像読取手段を、弾性体を介して原稿搬送手段に取り付けたことを特徴とする。
【００１１】
【発明の実施の形態】
［第一実施形態］
本発明に係る画像読取装置の第一実施形態について図を用いて説明する。図１は本実施形態に係る画像読取装置の構成を説明する全体断面図、図２は画像読取装置の外観斜視図、図３は原稿搬送装置に設けられている密着型イメージセンサの取付け部の詳細図である。
【００１２】
図１に示す画像読取装置は、原稿台を備えた装置本体としてのスキャナ部１００と、原稿台上に原稿を搬送する原稿搬送手段としての原稿搬送装置２００と、原稿搬送装置２００をスキャナ部１００に対して回動可能に支持する回動支持手段としてのヒンジ部２１とを備えている。
【００１３】
スキャナ部１００は筐体を有し、筐体上面に原稿台を構成するブック原稿用プラテンガラス３と、シート原稿用プラテンガラス２を備えており、筐体内に原稿台としてのブック原稿用プラテンガラス３およびシート原稿用プラテンガラス２上の原稿を読み取るラインセンサ１１を備えた第一画像読取手段としての第一読取ユニット１が設けられている。
【００１４】
ブック原稿用プラテンガラス３には、基準白板９０１が設けられており、この基準白板９０１の濃度データをラインセンサ１１により読み取り、この濃度データを基にシューディング値Ｓ１を生成することで、第一読取ユニット１に読取られた画像の濃度補正を行なう。
【００１５】
第一読取ユニット１は、ランプ４と第一ミラー５が取り付けられた第一ミラー台６と、第二、第三ミラー７、８が取り付けられた第二ミラー台９と、レンズ１０と、光電変換手段であるラインセンサ１１とを備えている。ラインセンサ１１は、図２の矢印Ａ方向に配列されている。
【００１６】
ブック原稿用プラテンガラス３またはシート原稿用プラテンガラス２上の原稿Ｓの画像は、ランプ４で照明され、第一、第二、第三ミラー５、７、８で光路を折り曲げながらレンズ１０でラインセンサ１１上に結像して、光電変換されることで読み取られる。第一ミラー台６及び第二ミラー台９は、図示しない駆動手段により２対１の速度比で移動されるので、ブック原稿用プラテンガラス３及びシート原稿用プラテンガラス２上に載置された原稿からラインセンサ１１までの物像間は一定に保たれる。
【００１７】
原稿搬送装置２００は、この原稿搬送装置２００により搬送される原稿の前記第一読取ユニット１で読み取る画像と反対側の画像を読み取る第二画像読取手段としての密着型イメージセンサ２０とを備えている。
【００１８】
原稿搬送装置２００の搬送系は、原稿トレイ３００上の原稿Ｓを一枚づつ取り出すピックアップローラ１２と、取り出された原稿の重送を防止するための分離ローラ対１３と、原稿Ｓをシート原稿用プラテンガラス２に導く搬送ローラ対１４、１５、１６、１７、給送シートガイド９０４及び中継シートガイド９０５、シート原稿用プラテンガラス２に接近させるプラテンローラ１８と、密着型イメージセンサ２０に接近させるプラテン白板９０２と、原稿排出トレイ４００へ移送するための排出ローラ対１９と排出シートガイド９０６とを備えており、密着型イメージセンサ２０は、プラテンローラ１８の下流側の搬送ローラ対１７と排出ローラ対１９の間に設けられている。
【００１９】
密着型イメージセンサ２０は、図示しない光源であるＬＥＤ、レンズ、光電変換手段であるラインセンサとしてのセンサー素子で構成されている。ラインセンサ１１に読み取られた面とは反対側の原稿Ｓの画像は、原稿搬送装置２００により原稿Ｓが搬送されている時に、密着型イメージセンサ２０内のランプにより照射され、レンズによりセンサ素子上に結像され、光電変換されることで、読み取られる。
【００２０】
プラテン白板９０２の濃度データを密着型イメージセンサ２０により読取り、この濃度データを基にシェーディング値Ｓ２を生成することで、密着型イメージセンサ２０に読取られた画像の濃度補正を行なう。
【００２１】
原稿搬送装置２００により搬送される原稿を読み取る場合には、第一、第二ミラー台６、９を図１に示した位置に固定する。また、ブック原稿や原稿搬送装置２００を使用できない原稿を読み取るときには、原稿搬送装置２００を回動させてブック原稿用プラテンガラス３を開放してから、その上に原稿を載置し、第一ミラー台６、第二ミラー台９を移動走査することで、読み取りをおこなう。
【００２２】
原稿搬送装置２００は、原稿を読取部としてのシート原稿用プラテンガラス２に押さえつけて搬送する機能と、ブック原稿用プラテンガラス３上の原稿を覆って押さえる機能とを有し、シート原稿用プラテンガラス２の清掃や、プラテンローラ１８での紙詰まりの処理のときには、上記ヒンジ部２１を支点として、原稿搬送装置２００をシート原稿用プラテンガラス２から離間するように回動させる。
【００２３】
そして、ヒンジ部２１の回動軸Ｘは、前記第一読取ユニット１のラインセンサ１１及び密着型イメージセンサ２０に備えられたラインセンサ（不図示）の配列方向と直交するように設けられている。
【００２４】
ここで、図２を用いて、装置の操作性について説明する。
【００２５】
まず、原稿搬送装置２００の開閉操作性では、使用者がスキャナ部１００に対して矢印Ｃで示す位置（装置前面）で操作する場合、使用者に対して原稿搬送装置２００のヒンジ部２１の回動軸Ｘを装置奥側（Ａ２方向）にし、原稿搬送装置２００の手前（Ａ１方向）を持上げる配置が優れているので、読取動作開始や枚数の設定等の操作をする手段も、使用者が矢印Ｃで示す装置前面位置で操作することを想定して、配置されている（装置手前Ａ１方向）。
【００２６】
一方、原稿をブック原稿用プラテンガラス３に載置するときに、原稿のブック原稿用プラテンガラス３に対する位置決め手段としての指標ラベル３ａがブック原稿用プラテンガラス３奥側に配置されている。このとき、使用者は矢印Ｃに示す業置前面位置で操作するので、指標ラベル３ａが使用者から離れないように、最大原稿の短手方向が前奥方向（Ａ方向）、長手方向が左右方向（Ｂ方向）に配置している。
【００２７】
次に動作を説明する。
【００２８】
原稿トレイ３００上に原稿Ｓを積載すると、ピックアップローラ１２がトレイ上の最上部の原稿を取り出して搬送する。もし、ここで何枚かの原稿が同時に送り出された場合であっても、分離ローラ対１３によって１枚に分離して搬送される。そして次の搬送ローラ対１４、１５、１６によってシート原稿用のプラテンローラ１８に向けて搬送される。
【００２９】
１枚目の原稿Ｓが、ラインセンサ１１及び密着型イメージセンサ２０の読取り位置を通過する前に、それぞれ基準白板９０１、プラテン白板９０２の濃度データを読取り、シェーディング値Ｓ１、Ｓ２を生成する。そして、ラインセンサ１１がプラテンローラ１８の濃度Ｄ１を読取ってから、一枚目の原稿Ｓが、ラインセンサ１１の読み取り位置を所定の速度で通過することにより、１面目の画像情報の読み取りが開始される。
【００３０】
次いで、密着型イメージセンサ２０がプラテン白板９０２の濃度Ｅ１を読取ってから、一枚目の原稿Ｓが、搬送ローラ対１７に搬送されて、密着型イメージセンサ２０の読み取り位置を通過することにより、２面目の画像情報の読み取りが開始される。ラインセンサ１１及び密着型イメージセンサ２０により読取られた画像データは、それぞれシェーディング値Ｓ１、Ｓ２に基づき画像濃度のシェーディング補正が行なわれる。読み取りを終了した原稿Ｓは排出ローラ対１９により原稿排出トレイ４００へ向けて搬送される。
【００３１】
その後、再度プラテンローラ１８の濃度Ｄ２、プラテン白板９０２の濃度Ｅ２を読取ってから、２枚目の原稿Ｓの１面目と２面目の画像を、ラインセンサ１１と密着型イメージセンサ２０で読み取る。ランプ４及び密着型イメージセンサ２０内のランプは経時的に光量が変化するので、濃度Ｄ１とＤ２の変化に応じて、補正したシェーディング値Ｓ１に基づき２枚目の原稿Ｓの１面目の画像濃度のシェーディング補正をし、濃度Ｅ１とＥ２の変化に応じて、補正したシェーディング値Ｓ２に基づき２枚目の原稿Ｓの２面目の画像濃度のシェーディング補正を行なう。３枚目以降も同じ動作を繰り返し、最後の原稿Ｓが排出された後、動作を停止する。なお、給送搬送などの駆動は図示されていないモータにより行なわれる。
【００３２】
このようにしてスキャナ部１００のラインセンサ１１と、原稿搬送装置２００に装備された密着型イメージセンサ２０とによって、一度の搬送過程中に両面原稿Ｓの表裏を読み取ることができる。
【００３３】
次に、密着型イメージセンサ２０の取付け例を示す。
【００３４】
図３に示すように、密着型イメージセンサ２０は、弾性体としてのゴムブッシュ５１ａ、５１ｂを介して原稿搬送装置２００の前側板３１、後側板３２へ、ビス５２ａ、５２ｂにより固定されている。前側板３１、後側板３２はステー３３により一体的に固定されて筐体を構成されている。
【００３５】
なお、本実施形態では、スキャナ部１００はラインセンサ１１による縮小光学系を包含し、原稿搬送装置２００は密着型イメージセンサ２０を包含するとしたが、組み合わせば逆であってもよいし、スキャナ部１００と原稿搬送装置２００が同じであってもよい。
【００３６】
また、密着型イメージセンサを、前側板３１、後側板３２の代わりにプラテン白板９０２に固定すれば、密着型イメージセンサ２０をプラテン白板９０２に対して正確に固定できるので、プラテン白板９０２により原稿Ｓを密着型イメージセンサ２０により確実に接近させることができる。
【００３７】
［第二実施形態］
本発明に係る画像読取装置の第二実施形態について、図を用いて説明する。図４は本実施形態に係る密着型イメージセンサの取付部の詳細図であって、上記第一実施形態と説明の重複する部分については同一の符号を付して説明を省略する。
【００３８】
図４ａは密着型イメージセンサ２０の取付け部の詳細図、図４ｂはプラテン白板９０２を下から見た図である。本実施形態は、密着型イメージセンサ２０を弾性体としての板バネ３５ａ、３５ｂを介して原稿搬送装置２００に取り付けたものである。
【００３９】
密着型イメージセンサ２０は板バネ３５ａ、３５ｂにより、段軸９０４ａ、９０４ｂを介してプラテン白板９０２に突き当たるように付勢されている。段軸９０４ａ、９０４ｂは密着型イメージセンサ２０に固定されており、プラテン白板９０２に形成されている穴９０２ａ、９０２ｂに嵌合し、かつプラテン白板９０２に突き当たっているので、密着型イメージセンサ２０は板バネ３５ａ、３５ｂの精度によらすプラテン白板９０２に対して固定することができる。内蔵するＬＥＤやラインセンサの熱による密着型イメージセンサ２０の膨張に対応するために、密着型イメージセンサ２０は板バネ３５ａ、３５ｂの一端に形成されている長穴９０６ａ、９０６ｂに段ビス３７ａ、３７ｂを介して固定され、板バネ３５ａ、３５ｂの一端はビス３６ａ、３６ｂによりそれぞれ前側板３１、後側板３２に固定されている。
【００４０】
本実施形態では、密着型イメージセンサ２０は、板バネ３５ａ、３５ｂのたわみによらず、常にプラテン白板９０２に対して位置決めされるので、プラテン白板９０２により原稿Ｓを密着型イメージセンサ２０に確実に接近させることができる。もちろん、長穴をステー３３に設けても同様に、板バネ３５ａ、３５ｂのたわみによらず密着型イメージセンサ２０を正確に固定することが可能である。
【００４１】
［第三実施形態］
本発明に係る画像読取装置の第三実施形態について、図を用いて説明する。図５は本実施形態に係る画像読取装置の構成を説明する図、図６は本実施形態に係る密着型イメージセンサの取付部の詳細図であって、上記第一実施形態と説明の重複する部分については同一の符号を付して説明を省略する。
【００４２】
図５に示すように、本実施形態では、第一実施形態の原稿搬送装置２００に備えられた密着型イメージセンサ２０と対向して、第二プラテンローラ２２を配置したものである。
【００４３】
図６に示すように、第二プラテンローラ２２は、弾性体としてのゴムブロック３３ａ、３３ｂを介して原稿搬送装置２００に取り付けられている。前側板３１、後側板３２はステー３３により一体的に固定されて筐体を構成しており、ゴムブロック３３ａ、３３ｂはそれぞれ前側板３１、後側板３２に接着剤で固定されている。
【００４４】
密着型イメージセンサ２０はホルダ３８に固定されている。このホルダ３８には、第二プラテンローラ２２が軸受３９ａ、３９ｂを介して密着型イメージセンサ２０と接離する方向に移動できるように支持されると共に（図示せず）、圧縮バネ４０ａ、４０ｂにより、第二プラテンローラ２２の両端部に設けられたフランジ部２２ａ、２２ｂがそれぞれ密着型イメージセンサ２０に圧接されている。従って、第二プラテンローラ２２と密着型イメージセンサ２０との間隔ｇが確実に保証されるので、原稿Ｓを確実に密着型イメージセンサ２０に密着させることができる構成になっている。ホルダ３８には、原稿Ｓが通過する開口部３８ｃが設けられており、ゴムブロック３３ａ、３３ｂにビス３４ａ、３４ｂにより固定されている。
【００４５】
上記の如く構成したことにより、ゴムブロック３３ａ、３３ｂが変形しても、原稿Ｓは第二プラテンローラ２２により密着型イメージセンサ２０に接近させられるので、ピントずれ等の無い高画質な読取画像が得られる。また、ゴムブロック３３ａ、３３ｂの硬度は、紙詰まり等の不具合無く原稿Ｓを搬送できる範囲内の変形になるように設定されている。
【００４６】
また、ゴムブロック３３ａ、３３ｂを、前側板３１、後側板３２の代わりに中継シートガイド９０５や排出シートガイド９０６に固定すれば、密着型イメージセンサ２０を中継シートガイド９０５や排出シートガイド９０６に対して正確に固定できるので、原稿Ｓの紙詰まり等を発生させること無く、より確実に中継シートガイド９０５や排出シートガイド９０６との受け渡しを行なうことが可能となる。
【００４７】
［第四実施形態］
本発明に係る画像読取装置の第四実施形態について、図を用いて説明する。図７は本実施形態に係る密着型イメージセンサの取付部の詳細図であって、上記各実施形態と説明の重複する部分については同一の符号を付して説明を省略する。
【００４８】
本実施形態においても密着型イメージセンサ２０と対向する位置に第二プラテンローラ２２を配置しており、第三実施形態のゴムブロック３３ａ、３３ｂの代わりに板バネ３５ａ、３５ｂを用いたものである。
【００４９】
すなわち、密着型イメージセンサ２０は、弾性体としての板バネ３５ａ、３５ｂを介して原稿搬送装置２００に取り付けられている。密着型イメージセンサ２０が固定されているホルダ３８は板バネ３５ａ、３５ｂにより、ステー３３に固定された段軸９０５ａ、９０５ｂに突き当たりかつホルダ３８に形成された穴３８ａ、３８ｂは段軸９０５ａ、９０５ｂと嵌合している。ホルダ３８は板バネ３５ａ、３５ｂの一端に形成されている長穴９０６ａ、９０６ｂに段ビス３７ａ、３７ｂを介して固定され、板バネ３５ａ、３５ｂの一端はビス３６ａ、３６ｂによりそれぞれ前側板３１、後側板３２に固定されている。
【００５０】
本実施形態では、密着型イメージセンサ２０は、板バネ３５ａ、３５ｂのたわみによらず、常にステー３３に対して位置決めされるので、原稿Ｓの紙詰まり等を発生させること無く、確実に中継シートガイド９０５や排出シートガイド９０６との受け渡しを行なうことが可能である、もちろん、段軸９０５ａ、９０５ｂを中継シートガイド９０５や排出シートガイド９０６に設けても、同様に板バネ３５ａ、３５ｂのたわみによらず密着型イメージセンサ２０を正確に固定することが可能である。
【００５１】
なお、上記各実施の形態では、ヒンジ部２１の回動軸Ｘは、第一読取ユニット１のラインセンサ１１及び密着型イメージセンサ２０に備えられたラインセンサの配列方向と直交するように設けられているが、原稿搬送装置２００に設けられる密着型イメージセンサ２０をゴムなどの弾性体で支持して衝撃を吸収する場合には、必ずしもヒンジ部２１の回動軸Ｘを、第一読取ユニット１のラインセンサ１１及び密着型イメージセンサ２０に備えられたラインセンサの配列方向と直交するように設けられていなくてもよく、ラインセンサの配列方向と平行に設けられていてもよい。
【００５２】
【発明の効果】
上記説明した如く、本発明に係る画像読取装置においては、内部に第二画像読取手段を備えた原稿搬送手段の回動軸を、画像を読み取るラインセンサの配列方向と直交するように配置したことにより、使用者に対して装置奥側に原稿搬送手段の回動軸を配置し、かつ装置の読取部に載置する最大原稿の短手方向を前奥方向とすることができるため、原稿搬送手段の開閉操作性を向上するとともに、容易に読取部に原稿を載置することができる。
【００５３】
また、原稿搬送手段に設けられる第二画像読取手段をゴムなどの弾性体で支持したことにより、使用者が原稿搬送手段に強い衝撃を与えるような開閉を行なった場合でも、読取手段が変形したり、調整が異常になるなどの不具合を発生せず、安定した読取画質を保証することができる。
【００５４】
また、弾性体をゴム材や板バネとすることにより、きわめて簡単な構成で第二画像読取手段に対する衝撃を緩和することができる。
【図面の簡単な説明】
【図１】第一実施形態に係る画像読取装置の構成を説明する全体断面図である。
【図２】画像読取装置の外観斜視図である。
【図３】原稿搬送装置に設けられている密着型イメージセンサの取付け部の詳細図である。
【図４】第二実施形態に係る密着型イメージセンサの取付部の詳細図である。
【図５】第三実施形態に係る画像読取装置の構成を説明する図である。
【図６】第三実施形態に係る密着型イメージセンサの取付部の詳細図である。
【図７】第四実施形態に係る密着型イメージセンサの取付部の詳細図である。
【符号の説明】
Ｓ　　　　…原稿
１　　　　…第一読取ユニット
２　　　　…シート原稿用プラテンガラス
３　　　　…ブック原稿用プラテンガラス
３ａ　　…指標ラベル
４　　　　…ランプ
５　　　　…第一ミラー
６　　　　…第一ミラー台
７　　　　…第二ミラー
８　　　　…第三ミラー
９　　　　…第二ミラー台
１０　　　　…レンズ
１１　　　　…ラインセンサ
１２　　　　…ピックアップローラ
１３　　　　…分離ローラ対
１４〜１６　　　　…搬送ローラ対
１７　　　　…搬送ローラ対
１８　　　　…プラテンローラ
１９　　　　…排出ローラ対
２０　　　　…密着型イメージセンサ
２１　　　　…ヒンジ部
２２　　　　…第二プラテンローラ
２２ａ、２２ｂ　　…フランジ部
３１　　　　…前側板
３２　　　　…後側板
３３　　　　…ステー
３３ａ、３３ｂ　　…ゴムブロック
３４ａ、３４ｂ　　…ビス
３５ａ、３５ｂ　　…板バネ
３６ａ、３６ｂ　　…ビス
３７ａ、３７ｂ　　…段ビス
３８　　　　…ホルダ
３８ｃ　　…開口部
３９ａ、３９ｂ　　…軸受
４０ａ、４０ｂ　　…圧縮バネ
５１ａ、５１ｂ　　…ゴムブッシュ
５２ａ、５２ｂ　　…ビス
１００　　　…スキャナ部
２００　　　…原稿搬送装置
３００　　　…原稿トレイ
４００　　　…原稿排出トレイ
９０１　　　…基準白板
９０２　　　…プラテン白板
９０２ａ、９０２ｂ　…穴
９０４　　　…給送シートガイド
９０４ａ、９０４ｂ　…段軸
９０５　　　…中継シートガイド
９０５ａ、９０５ｂ　…段軸
９０６　　　…排出シートガイド
９０６ａ、９０６ｂ　…長穴
【図１】
2004096321.tif 000003
【図２】
2004096321.tif 000004
【図３】
2004096321.tif 000005
【図４】
2004096321.tif 000006
【図５】
2004096321.tif 000007
【図６】
2004096321.tif 000008
【図７】
2004096321.tif 000009